(57)【特許請求の範囲】
【請求項１】
第１チャンネル正側スピーカー端子と、
第１チャンネル負側スピーカー端子と、
第２チャンネル正側スピーカー端子と、
第２チャンネル負側スピーカー端子と、
第１スイッチ、第２スイッチ、第３スイッチ、第４スイッチと、
一方端に第１チャンネル用スイッチングアンプから供給される第１チャンネル音声信号が供給され、他方端が前記第１スイッチを介して前記第１チャンネル正側スピーカー端子に接続されている第１コイルと、一方端が接地電位に接続され、他方端が前記第１チャンネル負側スピーカー端子に接続されている第２コイルとを含む第１コモンモードチョークコイルと、
一方端に第２チャンネル用スイッチングアンプから供給される第２チャンネル音声信号が供給され、他方端が前記第２スイッチを介して前記第２チャンネル正側スピーカー端子に接続されている第１コイルと、一方端が接地電位に接続され、他方端が前記第２チャンネル負側スピーカー端子に接続されている第２コイルとを含む第２コモンモードチョークコイルと、
一方端に前記第１チャンネル音声信号が供給され、他方端が前記第３スイッチを介して前記第１チャンネル正側スピーカー端子に接続されている第１コイルと、一方端に前記第２チャンネル音声信号が供給され、他方端が前記第４スイッチを介して前記第２チャンネル正側スピーカー端子に接続されている第２コイルとを含む第３コモンモードチョークコイルとを備え、
ＢＴＬ方式を使用しない場合、前記第１スイッチ、前記第２スイッチをオン状態に制御し、前記第３スイッチ、前記第４スイッチをオフ状態に制御し、ＢＴＬ方式を使用する場合、前記第１スイッチ、前記第２スイッチをオフ状態に制御し、前記第３スイッチ、前記第４スイッチをオン状態に制御するスイッチ制御部とを備える、音声切換出力装置。
【請求項２】
第５スイッチ、第６スイッチをさらに備え、
前記第３コモンモードチョークコイルの前記第１コイルの前記一方端に、前記第５スイッチを介して前記第１チャンネル音声信号が供給され、
前記第３コモンモードチョークコイルの前記第２コイルの前記一方端に、前記第６スイッチを介して前記第２チャンネル音声信号が供給され、
前記スイッチ制御部が、ＢＴＬ方式を使用しない場合、前記第１スイッチ、前記第２スイッチをオン状態に制御し、前記第３スイッチ、前記第４スイッチ、前記第５スイッチ、前記第６スイッチをオフ状態に制御し、ＢＴＬ方式を使用する場合、前記第１スイッチ、前記第２スイッチをオフ状態に制御し、前記第３スイッチ、前記第４スイッチ、前記第５スイッチ、前記第６スイッチをオン状態に制御する、請求項１に記載の音声切換出力装置。
【請求項３】
前記第５スイッチと前記第３コモンモードチョークコイルの前記第１コイルの前記一方端との接続点と、前記第６スイッチと前記第３コモンモードチョークコイルの前記第２コイルの前記一方端との接続点との間にフィルタ回路が接続されている、請求項２に記載の音声切換出力装置。
【請求項４】
第２の第１チャンネル正側スピーカー端子と、
第２の第１チャンネル負側スピーカー端子と、
第２の第２チャンネル正側スピーカー端子と、
第２の第２チャンネル負側スピーカー端子と、
第７スイッチ、第８スイッチとをさらに備え、
前記第７スイッチの一方端が、前記第１コモンモードチョークコイルの前記第１コイルの前記他方端に接続され、前記第７スイッチの他方端が、前記第２の第１チャンネル正側スピーカー端子に接続され、
前記第８スイッチの一方端が、前記第２コモンモードチョークコイルの前記第１コイルの前記他方端に接続され、前記第８スイッチの他方端が、前記第２の第２チャンネル正側スピーカー端子に接続され、
前記第２の第１チャンネル負側スピーカー端子が、前記第１コモンモードチョークコイルの前記第２コイルの前記他方端に接続され、
前記第２の第２チャンネル負側スピーカー端子が、前記第２コモンモードチョークコイルの前記第２コイルの前記他方端に接続され、
前記スイッチ制御部が、ＢＴＬ方式を使用せずに前記第２の第１チャンネル正側スピーカー端子と、前記第２の第１チャンネル負側スピーカー端子と、前記第２の第２チャンネル正側スピーカー端子と、前記第２の第２チャンネル負側スピーカー端子とを使用する場合、前記第７スイッチ、前記第８スイッチをオン状態に制御し、前記第３スイッチ、前記第４スイッチをオフ状態に制御し、ＢＴＬ方式を使用する場合、前記第１スイッチ、前記第２スイッチ、前記第７スイッチ、前記第８スイッチをオフ状態に制御し、前記第３スイッチ、前記第４スイッチをオン状態に制御する、請求項１〜３のいずれかに記載の音声切換出力装置。
【請求項５】
第９スイッチ、第１０スイッチをさらに備え、
前記第１コモンモードチョークコイルの前記第１コイルの前記一方端に、前記第９スイッチを介して前記第１チャンネル音声信号が供給され、
前記第２コモンモードチョークコイルの前記第１コイルの前記一方端に、前記第１０スイッチを介して前記第２チャンネル音声信号が供給され、
前記スイッチ制御部が、ＢＴＬ方式を使用しない場合、前記第１スイッチ、前記第２スイッチ、前記第９スイッチ、前記第１０スイッチをオン状態に制御し、前記第３スイッチ、前記第４スイッチをオフ状態に制御し、ＢＴＬ方式を使用する場合、前記第１スイッチ、前記第２スイッチ、前記第９スイッチ、前記第１０スイッチをオフ状態に制御し、前記第３スイッチ、前記第４スイッチをオン状態に制御する、請求項１〜４のいずれかに記載の音声切換出力装置。
【発明の詳細な説明】
【技術分野】
【０００１】
本発明は、ＢＴＬを使用して音声信号を出力するか、ＢＴＬを使用せずに音声信号を出力するかを切り替える音声切換出力装置に関する。
【背景技術】
【０００２】
下記特許文献１および２には、スイッチングアンプにおいてＢＴＬ方式を採用し、かつ、コモンモードノイズを除去するためにコモンモードチョークコイルを設ける回路が記載されている。
【０００３】
また、図６は、本発明の課題を説明するために記載するスイッチングアンプの音声出力切換装置４１を示す（本回路は公知の回路ではなく、比較例として記載している）。
【０００４】
ＢＴＬ方式を使用しない場合、スイッチＳＷ１１、ＳＷ１２がオン状態に、スイッチＳＷ１３、ＳＷ１４がオフ状態に制御される。スイッチング用のＭＯＳＦＥＴから出力される左チャンネル音声信号（パルス信号）はコイルＬ１、コンデンサＣ１からなるローパスフィルタによって高周波成分が除去され、コモンモードチョークコイルＬ４でコモンモードノイズが除去され、左チャンネルスピーカー端子Ｌ＋に供給される。また、スイッチング用のＭＯＳＦＥＴから出力される右チャンネル音声信号（パルス信号）はコイルＬ２、コンデンサＣ２からなるローパスフィルタによって高周波成分が除去され、コモンモードチョークコイルＬ５でコモンモードノイズが除去され、右チャンネルスピーカー端子Ｒ＋に供給される。この場合に、左チャンネルスピーカー端子Ｌ＋は、コモンモードチョークコイルＬ４だけでなく、コモンモードチョークコイルＬ３にも接続された状態であるので、音声信号の電流がコモンモードチョークコイルＬ３にも流れ、左チャンネルスピーカー端子Ｌ＋に供給される音声信号がコモンモードチョークコイルＬ３の影響を受けてしまい、歪みが発生するという問題がある。同様に、右チャンネルスピーカー端子Ｒ＋は、コモンモードチョークコイルＬ５だけでなく、コモンモードチョークコイルＬ３にも接続された状態であるので、音声信号の電流がコモンモードチョークコイルＬ３にも流れ、右チャンネルスピーカー端子Ｒ＋に供給される音声信号がコモンモードチョークコイルＬ３の影響を受けてしまい、歪みが発生するという問題がある。
【０００５】
次に、ＢＴＬ方式を使用する場合、スイッチＳＷ１１、ＳＷ１２がオフ状態に、スイッチＳＷ１３、ＳＷ１４がオン状態に制御される。スイッチング用のＭＯＳＦＥＴから出力される左チャンネル音声信号はコイルＬ１、コンデンサＣ１からなるローパスフィルタによって高周波成分が除去され、コモンモードチョークコイルＬ３でコモンモードノイズが除去され、左チャンネルスピーカー端子Ｌ＋に供給される。また、スイッチング用のＭＯＳＦＥＴから出力される右チャンネル音声信号はコイルＬ２、コンデンサＣ２からなるローパスフィルタによって高周波成分が除去され、コモンモードチョークコイルＬ３でコモンモードノイズが除去され、右チャンネルスピーカー端子Ｒ＋に供給される。この場合に、左チャンネルスピーカー端子Ｌ＋は、コモンモードチョークコイルＬ３だけでなく、コモンモードチョークコイルＬ４にも接続された状態であるので、音声信号の電流がコモンモードチョークコイルＬ４にも流れ、左チャンネルスピーカー端子Ｌ＋に供給される音声信号がコモンモードチョークコイルＬ４の影響を受けてしまい、歪みが発生するという問題がある。同様に、右チャンネルスピーカー端子Ｒ＋は、コモンモードチョークコイルＬ３だけでなく、コモンモードチョークコイルＬ５にも接続された状態であるので、音声信号の電流がコモンモードチョークコイルＬ５にも流れ、右チャンネルスピーカー端子Ｒ＋に供給される音声信号がコモンモードチョークコイルＬ５の影響を受けてしまい、歪みが発生するという問題がある。
【先行技術文献】
【特許文献】
【０００６】
【特許文献１】特開２００３−４６３４５号公報
【特許文献２】特開平２−１７７６０５号公報
【発明の概要】
【発明が解決しようとする課題】
【０００７】
本発明は上記従来の課題を解決するためになされたものであり、その目的は、ＢＴＬ方式を使用して音声信号を出力するか否かを切換可能であり、かつ、コモンモードチョークコイルを備える場合に、信号経路ではないコモンモードチョークコイルが音声信号に悪影響を与えることを防止できる音声切換出力装置を提供することである。
【課題を解決するための手段】
【０００８】
本発明の好ましい実施形態による音声切換出力装置は、第１チャンネル正側スピーカー端子と、第１チャンネル負側スピーカー端子と、第２チャンネル正側スピーカー端子と、第２チャンネル負側スピーカー端子と、第１スイッチ、第２スイッチ、第３スイッチ、第４スイッチと、一方端に第１チャンネル用スイッチングアンプから供給される第１チャンネル音声信号が供給され、他方端が前記第１スイッチを介して前記第１チャンネル正側スピーカー端子に接続されている第１コイルと、一方端が接地電位に接続され、他方端が前記第１チャンネル負側スピーカー端子に接続されている第２コイルとを含む第１コモンモードチョークコイルと、一方端に第２チャンネル用スイッチングアンプから供給される第２チャンネル音声信号が供給され、他方端が前記第２スイッチを介して前記第２チャンネル正側スピーカー端子に接続されている第１コイルと、一方端が接地電位に接続され、他方端が前記第２チャンネル負側スピーカー端子に接続されている第２コイルとを含む第２コモンモードチョークコイルと、一方端に前記第１チャンネル音声信号が供給され、他方端が前記第３スイッチを介して前記第１チャンネル正側スピーカー端子に接続されている第１コイルと、一方端に前記第２チャンネル音声信号が供給され、他方端が前記第４スイッチを介して前記第２チャンネル正側スピーカー端子に接続されている第２コイルとを含む第３コモンモードチョークコイルとを備え、ＢＴＬ方式を使用しない場合、前記第１スイッチ、前記第２スイッチをオン状態に制御し、前記第３スイッチ、前記第４スイッチをオフ状態に制御し、ＢＴＬ方式を使用する場合、前記第１スイッチ、前記第２スイッチをオフ状態に制御し、前記第３スイッチ、前記第４スイッチをオン状態に制御するスイッチ制御部とを備える。
【０００９】
好ましい実施形態においては、第５スイッチ、第６スイッチをさらに備え、前記第３コモンモードチョークコイルの前記第１コイルの前記一方端に、前記第５スイッチを介して前記第１チャンネル音声信号が供給され、前記第３コモンモードチョークコイルの前記第２コイルの前記一方端に、前記第６スイッチを介して前記第２チャンネル音声信号が供給され、前記スイッチ制御部が、ＢＴＬ方式を使用しない場合、前記第１スイッチ、前記第２スイッチをオン状態に制御し、前記第３スイッチ、前記第４スイッチ、前記第５スイッチ、前記第６スイッチをオフ状態に制御し、ＢＴＬ方式を使用する場合、前記第１スイッチ、前記第２スイッチをオフ状態に制御し、前記第３スイッチ、前記第４スイッチ、前記第５スイッチ、前記第６スイッチをオン状態に制御する。
【００１０】
好ましい実施形態においては、前記第５スイッチと前記第３コモンモードチョークコイルの前記第１コイルの前記一方端との接続点と、前記第６スイッチと前記第３コモンモードチョークコイルの前記第２コイルの前記一方端との接続点との間にフィルタ回路が接続されている。
【００１１】
好ましい実施形態においては、第２の第１チャンネル正側スピーカー端子と、第２の第１チャンネル負側スピーカー端子と、第２の第２チャンネル正側スピーカー端子と、第２の第２チャンネル負側スピーカー端子と、第７スイッチ、第８スイッチとをさらに備え、前記第７スイッチの一方端が、前記第１コモンモードチョークコイルの前記第１コイルの前記他方端に接続され、前記第７スイッチの他方端が、前記第２の第１チャンネル正側スピーカー端子に接続され、前記第８スイッチの一方端が、前記第２コモンモードチョークコイルの前記第１コイルの前記他方端に接続され、前記第８スイッチの他方端が、前記第２の第２チャンネル正側スピーカー端子に接続され、前記第２の第１チャンネル負側スピーカー端子が、前記第１コモンモードチョークコイルの前記第２コイルの前記他方端に接続され、前記第２の第２チャンネル負側スピーカー端子が、前記第２コモンモードチョークコイルの前記第２コイルの前記他方端に接続され、前記スイッチ制御部が、ＢＴＬ方式を使用せずに前記第２の第１チャンネル正側スピーカー端子と、前記第２の第１チャンネル負側スピーカー端子と、前記第２の第２チャンネル正側スピーカー端子と、前記第２の第２チャンネル負側スピーカー端子とを使用する場合、前記第７スイッチ、前記第８スイッチをオン状態に制御し、前記第３スイッチ、前記第４スイッチをオフ状態に制御し、ＢＴＬ方式を使用する場合、前記第１スイッチ、前記第２スイッチ、前記第７スイッチ、前記第８スイッチをオフ状態に制御し、前記第３スイッチ、前記第４スイッチをオン状態に制御する。
【００１２】
好ましい実施形態においては、第９スイッチ、第１０スイッチをさらに備え、前記第１コモンモードチョークコイルの前記第１コイルの前記一方端に、前記第９スイッチを介して前記第１チャンネル音声信号が供給され、前記第２コモンモードチョークコイルの前記第１コイルの前記一方端に、前記第１０スイッチを介して前記第２チャンネル音声信号が供給され、前記スイッチ制御部が、ＢＴＬ方式を使用しない場合、前記第１スイッチ、前記第２スイッチ、前記第９スイッチ、前記第１０スイッチをオン状態に制御し、前記第３スイッチ、前記第４スイッチをオフ状態に制御し、ＢＴＬ方式を使用する場合、前記第１スイッチ、前記第２スイッチ、前記第９スイッチ、前記第１０スイッチをオフ状態に制御し、前記第３スイッチ、前記第４スイッチをオン状態に制御する。
【発明の効果】
【００１３】
ＢＴＬ方式を使用して音声信号を出力するか否かを切換可能であり、かつ、コモンモードチョークコイルを備える場合に、信号経路ではないコモンモードチョークコイルが音声信号に悪影響を与えることを防止できる音声切換出力装置を提供することができる。
【図面の簡単な説明】
【００１４】
【図１】一般的なスイッチングアンプを示すブロック図である。
【図２】本発明の好ましい実施形態による音声切換出力装置１を示す回路図である。
【図３】本発明の好ましい実施形態による音声切換出力装置１を示す回路図である。
【図４】本発明の好ましい実施形態による音声切換出力装置１を示す回路図である。
【図５】本発明の好ましい実施形態による音声切換出力装置１を示す回路図である。
【図６】比較例としての音声切換出力装置１を示す回路図である。
【発明を実施するための形態】
【００１５】
以下、本発明の好ましい実施形態について、図面を参照して具体的に説明するが、本発明はこれらの実施形態には限定されない。まず、図１を参照して、一般的なスイッチングアンプ１００の概略構成を説明する。なお、図１は、１チャンネル分のスイッチングアンプを示している。従って、入力音声信号が、左チャンネル音声信号および右チャンネル音声信号の２チャンネルを含む場合、２つのスイッチングアンプ１００が使用される。スイッチングアンプ１００は、パルス幅変調回路１０１、ドライバ１０２、および、スイッチング出力回路１０３を備える。
【００１６】
パルス幅変調回路１０１は、入力される音声信号をパルス幅変調して第１のＰＷＭ信号ＯＵＴ１および第２のＰＷＭ信号ＯＵＴ２を生成する。第１のＰＷＭ信号ＯＵＴ１および第２のＰＷＭ信号ＯＵＴ２は、一方がハイレベルの信号である場合に他方がローレベルの信号である。ドライバ１０２は、第１のＰＷＭ信号ＯＵＴ１および第２のＰＷＭ信号ＯＵＴ２が入力され、電源電圧に基づいて、後述のスイッチ素子を駆動するための駆動信号ＤＲＶ１およびＤＲＶ２を出力する。
【００１７】
スイッチング出力回路１０３は、第１の電源（例えば正の電源＋ＶＤ）と第２の電源（例えば負の電源−ＶＤ）との間に接続され、駆動信号に応答して正の電源＋ＶＤまたは負の電源−ＶＤを出力する。スイッチング出力回路１０３は、スイッチ素子（例えば、ＭＯＳＦＥＴ）１０４、１０５を有する。ＭＯＳＦＥＴ１０４、１０５から出力されるパルス信号は、本発明の音声切換出力装置１に供給される。
【００１８】
図２は、本実施形態による音声切換出力装置１を示す回路図である。音声切換出力装置１は、ＢＴＬ（Bridged Transless）方式を使用した音声信号の出力と、ＢＴＬを使用しない通常の音声信号の出力とを選択的に切り替えることができる。ＢＴＬ接続とは、ステレオアンプの２つの出力をブリッジ接続してモノラルアンプとして使用する方法で、片側のチャンネルには信号を正相で入力し、もう一方のチャンネルには逆相で入力し、それぞれの出力の＋同士をスピーカーに接続する方法である。図２において、ＡＬは、左チャンンネル用のスイッチングアンプの出力（ＭＯＳＦＥＴの出力）を示し、ＡＲは、右チャンンネル用のスイッチングアンプの出力（ＭＯＳＦＥＴの出力）を示す。音声切換出力装置１は、左チャンネル通常出力部２と、右チャンネル通常出力部３と、ＢＴＬ出力部４と、ローパスフィルタ５、６とを備える。
【００１９】
ローパスフィルタ５は、左チャンネル音声信号（パルス信号）から高周波成分を除去し、左チャンネル通常出力部２およびＢＴＬ出力部４に供給する。ローパスフィルタ５は、コイルＬ１、コンデンサＣ１を含む。コイルＬ１の一端は図１のＭＯＳＦＥＴ１０４、１０５の出力に接続され、他端はコンデンサＣ１を介して接地電位に接続され、かつ、左チャンネル通常出力部２およびＢＴＬ出力部４に接続されている。
【００２０】
ローパスフィルタ６は、右チャンネル音声信号（パルス信号）から高周波成分を除去し、右チャンネル通常出力部３およびＢＴＬ出力部４に供給する。ローパスフィルタ６は、コイルＬ２、コンデンサＣ２を含む。コイルＬ２の一端は図１のＭＯＳＦＥＴ１０４、１０５の出力に接続され、他端はコンデンサＣ２を介して接地電位に接続され、かつ、右チャンネル通常出力部３およびＢＴＬ出力部４に接続されている。
【００２１】
左チャンネル通常出力部２は、ＢＴＬ方式を使用せずに、左チャンネル音声信号を正側左チャンネルスピーカー端子Ｌ＋に供給する。左チャンネル通常出力部２は、抵抗Ｒ１、コンデンサＣ３、コモンモードチョークコイルＬ４、スイッチＳＷ１を含む。抵抗Ｒ１とコンデンサＣ３は左チャンネル音声信号の共振を防止するためのフィルタ回路を構成し、抵抗Ｒ１の一端はローパスフィルタ５と、コモンモードチョークコイルＬ４とに接続され、他端はコンデンサＣ３を介して接地電位に接続されている。
【００２２】
コモンモードチョークコイルＬ４は、左チャンネル音声信号からコモンモードノイズを除去するものであり、図示上側の第１コイルの一端は抵抗Ｒ１およびローパスフィルタ５の出力に接続され、他端はスイッチＳＷ１を介して正側左チャンネルスピーカー端子Ｌ＋に接続され、図示下側の第２コイルの一端は接地電位に接続され、他端は負側左チャンネルスピーカー端子Ｌ−に接続されている。
【００２３】
スイッチＳＷ１は、例えばリレースイッチであり、図示しないマイコン等のスイッチ制御部によってオンオフ制御される。スイッチＳＷ１は、左チャンネル音声信号を正側左チャンネルスピーカー端子Ｌ＋に供給するか否かを切り替えるものである。言い換えると、スイッチＳＷ１は、正側左チャンネルスピーカー端子Ｌ＋（およびＢＴＬ出力部４）とコモンモードチョークコイルＬ４とを接続するか否かを切り替えるものである。
【００２４】
右チャンネル通常出力部３は、ＢＴＬ方式を使用せずに、右チャンネル音声信号を正側右チャンネルスピーカー端子Ｒ＋に供給する。右チャンネル通常出力部３は、抵抗Ｒ２、コンデンサＣ４、コモンモードチョークコイルＬ５、スイッチＳＷ２を含む。抵抗Ｒ２とコンデンサＣ４は右チャンネル音声信号の共振を防止するためのフィルタ回路を構成し、抵抗Ｒ２の一端はローパスフィルタ６と、コモンモードチョークコイルＬ５とに接続され、他端はコンデンサＣ４を介して接地電位に接続されている。
【００２５】
コモンモードチョークコイルＬ５は、右チャンネル音声信号からコモンモードノイズを除去するものであり、図示上側の第１コイルの一端は抵抗Ｒ２に接続され、他端はスイッチＳＷ２を介して正側右チャンネルスピーカー端子Ｒ＋に接続され、図示下側の第２コイルの一端は接地電位に接続され、他端は負側右チャンネルスピーカー端子Ｒ−に接続されている。
【００２６】
スイッチＳＷ２は、例えばリレースイッチであり、図示しないマイコン等のスイッチ制御部によってオンオフ制御される。スイッチＳＷ２は、右チャンネル音声信号を正側右チャンネルスピーカー端子Ｒ＋に供給するか否かを切り替えるものである。言い換えると、スイッチＳＷ２は、正側右チャンネルスピーカー端子Ｒ＋（およびＢＴＬ出力部４）とコモンモードチョークコイルＬ５とを接続するか否かを切り替えるものである。
【００２７】
ＢＴＬ出力部４は、ＢＴＬ方式を使用して、左チャンネル音声信号を正側左チャンネルスピーカー端子Ｌ＋に供給し、右チャンネル音声信号を正側右チャンネルスピーカー端子Ｒ＋に供給する。ＢＴＬ出力部４は、抵抗Ｒ３、コンデンサＣ５、コモンモードチョークコイルＬ３、スイッチＳＷ３、ＳＷ４を含む。抵抗Ｒ３とコンデンサＣ５とは左チャンネル音声信号、右チャンネル音声信号の共振を防止するためのフィルタ回路を構成し、抵抗Ｒ３の一端はローパスフィルタ５の出力と、コモンモードチョークコイルＬ３の第１コイルの一方端との接続点に接続され、他端はコンデンサＣ５を介して、ローパスフィルタ６の出力と、コモンモードチョークコイルＬ３の第２コイルの一方端との接続点に接続されている。
【００２８】
コモンモードチョークコイルＬ３は、左チャンネル音声信号、右チャンネル音声信号からコモンモードノイズを除去するものであり、図示上側の第１コイルの一端は抵抗Ｒ３およびローパスフィルタ５の出力に接続され、他端はスイッチＳＷ３を介して正側左チャンネルスピーカー端子Ｌ＋に接続され、図示下側の第２コイルの一端はコンデンサＣ５とローパスフィルタ６の出力に接続され、他端はスイッチＳＷ４を介して正側右チャンネルスピーカー端子Ｒ＋に接続されている。
【００２９】
スイッチＳＷ３は、例えばリレースイッチであり、図示しないマイコン等のスイッチ制御部によってオンオフ制御される。スイッチＳＷ３は、左チャンネル音声信号を正側左チャンネルスピーカー端子Ｌ＋に供給するか否かを切り替えるものである。言い換えると、スイッチＳＷ３は、正側左チャンネルスピーカー端子Ｌ＋（および左チャンネル通常出力部２）とコモンモードチョークコイルＬ３とを接続するか否かを切り替えるものである。
【００３０】
スイッチＳＷ４は、例えばリレースイッチであり、図示しないマイコン等のスイッチ制御部によってオンオフ制御される。スイッチＳＷ４は、右チャンネル音声信号を正側右チャンネルスピーカー端子Ｒ＋に供給するか否かを切り替えるものである。言い換えると、スイッチＳＷ４は、正側右チャンネルスピーカー端子Ｒ＋（および右チャンネル通常出力部３）とコモンモードチョークコイルＬ３とを接続するか否かを切り替えるものである。
【００３１】
正側左チャンネルスピーカー端子Ｌ＋および負側左チャンネルスピーカー端子Ｌ−は、一般的には、左チャンネルスピーカーが接続されるスピーカー端子である。正側右チャンネルスピーカー端子Ｒ＋および負側右チャンネルスピーカー端子Ｒ−は、一般的には、右チャンネルスピーカーが接続されるスピーカー端子である。ここで、ＢＴＬ方式を使用する場合、１つのスピーカーの例えば正側入力端子が正側左チャンネルスピーカー端子Ｌ＋に接続され、負側入力端子が正側右チャンネルスピーカー端子Ｒ＋に接続され、正側左チャンネルスピーカー端子Ｌ＋および正側右チャンネルスピーカー端子Ｒ＋には、同一の音声信号であり互いに逆位相の関係にある音声信号が入力される。
【００３２】
以上の構成を有する音声切換出力装置１についてその動作を説明する。
［ＢＴＬ方式を使用しない場合］
マイコンによってスイッチＳＷ１、ＳＷ２がオン状態に制御され、スイッチＳＷ３、ＳＷ４がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、正側左チャンネルスピーカー端子Ｌ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、正側右チャンネルスピーカー端子Ｒ＋に供給される。このとき、スイッチＳＷ３およびＳＷ４がオフ状態であるので、正側左チャンネルスピーカー端子Ｌ＋および正側右チャンネルスピーカー端子Ｒ＋は、信号経路ではないＢＴＬ出力部４のコモンモードチョークコイルＬ３に対して開放されている。従って、左チャンネル音声信号および右チャンネル音声信号は、電流がコモンモードチョークコイルＬ３へと逆流せず、コモンモードチョークコイルＬ３による悪影響を受けず、歪みが生じることが防止される。
【００３３】
［ＢＴＬ方式を使用する場合］
マイコンによってスイッチＳＷ１、ＳＷ２がオフ状態に制御され、スイッチＳＷ３、ＳＷ４がオン状態に制御される。左チャンネル音声信号は、ローパスフィルタ５で高周波成分が除去され、抵抗Ｒ３およびコンデンサＣ５によって共振が防止され、コモンモードチョークコイルＬ３によってコモンモードノイズが除去され、正側左チャンネルスピーカー端子Ｌ＋に供給される。右チャンネル音声信号は、ローパスフィルタ６で高周波成分が除去され、抵抗Ｒ３およびコンデンサＣ５によって共振が防止され、コモンモードチョークコイルＬ３によってコモンモードノイズが除去され、正側右チャンネルスピーカー端子Ｒ＋に供給される。このとき、スイッチＳＷ１がオフ状態であるので、正側左チャンネルスピーカー端子Ｌ＋は、信号経路ではない左チャンネル通常出力部２のコモンモードチョークコイルＬ４に対して開放されている。従って、左チャンネル音声信号は、コモンモードチョークコイルＬ４による悪影響を受けず、歪みが生じることが防止される。同様に、スイッチＳＷ２がオフ状態であるので、正側右チャンネルスピーカー端子Ｒ＋は、信号経路ではない右チャンネル通常出力部３のコモンモードチョークコイルＬ５に対して開放されている。従って、右チャンネル音声信号は、コモンモードチョークコイルＬ５による悪影響を受けず、歪みが生じることが防止される。
【００３４】
次に本発明の別の好ましい実施形態を説明する。図３は、本例の音声切換出力装置１１を示す回路図である。図２の音声切換出力装置１によると、ＢＴＬ方式を使用しない場合に、ローパスフィルタ５が抵抗Ｒ３およびコンデンサＣ５からなるフィルタ回路やコモンモードチョークコイルＬ３の入力側に接続されている。従って、左チャンネル音声信号は、抵抗Ｒ３およびコンデンサＣ５からなるフィルタ回路やコモンモードチョークコイルＬ３による悪影響を受ける可能性がある。同様に、ＢＴＬ方式を使用しない場合に、ローパスフィルタ６が抵抗Ｒ３およびコンデンサＣ５からなるフィルタ回路やコモンモードチョークコイルＬ３の入力側に接続されている。従って、右チャンネル音声信号は、抵抗Ｒ３およびコンデンサＣ５からなるフィルタ回路やコモンモードチョークコイルＬ３による悪影響を受ける可能性がある。
【００３５】
そこで、本例によると、ＢＴＬ出力部４は、スイッチＳＷ５、ＳＷ６をさらに含む。スイッチＳＷ５は、例えばリレースイッチであり、図示しないマイコン等の制御部によってオンオフ制御される。スイッチＳＷ５は、左チャンネル音声信号を抵抗Ｒ３およびコンデンサＣ５からなるフィルタ回路やコモンモードチョークコイルＬ３に供給するか否かを切り替えるものである。言い換えると、スイッチＳＷ５は、ローパスフィルタ５（すなわち、左チャンネル通常出力部２）とコモンモードチョークコイルＬ３とを接続するか否かを切り替えるものである。
【００３６】
スイッチＳＷ６は、例えばリレースイッチであり、図示しないマイコン等の制御部によってオンオフ制御される。スイッチＳＷ６は、右チャンネル音声信号を抵抗Ｒ３およびコンデンサＣ５からなるフィルタ回路やコモンモードチョークコイルＬ３に供給するか否かを切り替えるものである。言い換えると、スイッチＳＷ６は、ローパスフィルタ６とコモンモードチョークコイルＬ３（すなわち、右チャンネル通常出力部３）とを接続するか否かを切り替えるものである。
【００３７】
以上の構成を有する音声切換出力装置１１についてその動作を説明する。
［ＢＴＬ方式を使用しない場合］
マイコンによってスイッチＳＷ１、ＳＷ２がオン状態に制御され、スイッチＳＷ３、ＳＷ４、ＳＷ５、ＳＷ６がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、正側左チャンネルスピーカー端子Ｌ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、正側右チャンネルスピーカー端子Ｒ＋に供給される。このとき、スイッチＳＷ３およびＳＷ４がオフ状態であるので、正側左チャンネルスピーカー端子Ｌ＋および正側右チャンネルスピーカー端子Ｒ＋は、信号経路ではないＢＴＬ出力部４のコモンモードチョークコイルＬ３に対して開放されている。また、スイッチＳＷ５およびＳＷ６がオフ状態であるので、左チャンネル通常出力部２および右チャンネル通常出力部３の各入力は、信号経路ではないＢＴＬ出力部４のコモンモードチョークコイルＬ３、および、抵抗Ｒ３、コンデンサＣ５からなるフィルタ回路に対して開放されている。従って、左チャンネル音声信号および右チャンネル音声信号は、コモンモードチョークコイルＬ３、および、抵抗Ｒ３、コンデンサＣ５からなるフィルタ回路による悪影響を受けず、歪みが生じることが防止される。
【００３８】
［ＢＴＬ方式を使用する場合］
マイコンによってスイッチＳＷ１、ＳＷ２がオフ状態に制御され、スイッチＳＷ３、ＳＷ４、ＳＷ５、ＳＷ６がオン状態に制御される。左チャンネル音声信号は、ローパスフィルタ５で高周波成分が除去され、抵抗Ｒ３およびコンデンサＣ５によって共振が防止され、コモンモードチョークコイルＬ３によってコモンモードノイズが除去され、正側左チャンネルスピーカー端子Ｌ＋に供給される。右チャンネル音声信号は、ローパスフィルタ６で高周波成分が除去され、抵抗Ｒ３およびコンデンサＣ５によって共振が防止され、コモンモードチョークコイルＬ３によってコモンモードノイズが除去され、正側右チャンネルスピーカー端子Ｒ＋に供給される。このとき、スイッチＳＷ１がオフ状態であるので、正側左チャンネルスピーカー端子Ｌ＋は、信号経路ではない左チャンネル通常出力部２のコモンモードチョークコイルＬ４に対して開放されている。従って、左チャンネル音声信号は、コモンモードチョークコイルＬ４による悪影響を受けず、歪みが生じることが防止される。同様に、スイッチＳＷ２がオフ状態であるので、正側右チャンネルスピーカー端子Ｒ＋は、信号経路ではない右チャンネル通常出力部３のコモンモードチョークコイルＬ５に対して開放されている。従って、右チャンネル音声信号は、コモンモードチョークコイルＬ５による悪影響を受けず、歪みが生じることが防止される。
【００３９】
次に本発明のさらに別の好ましい実施形態を説明する。図４は、本例の音声切換出力装置２１を示す回路図である。音声切換出力装置２１は、図３の音声切換出力装置１１に対して、第２正側左チャンネルスピーカー端子ＬＢ＋、第２負側左チャンネルスピーカー端子ＬＢ−、第２正側右チャンネルスピーカー端子ＲＢ＋、第２負側右チャンネルスピーカー端子ＲＢ−をさらに備え、左チャンネル通常出力部２はスイッチＳＷ７をさらに含み、右チャンネル通常出力部３はスイッチＳＷ８をさらに含む。スイッチＳＷ７は、一端がコモンモードチョークコイルＬ４の第１コイルの他端に接続され、他端が第２正側左チャンネルスピーカー端子ＬＢ＋に接続されている。スイッチＳＷ８は、一端がコモンモードチョークコイルＬ５の第１コイルの他端に接続され、他端が第２正側右チャンネルスピーカー端子ＲＢ＋に接続されている。第２負側左チャンネルスピーカー端子ＬＢ−は、コモンモードチョークコイルＬ４の第２コイルの他端に接続されている。第２負側右チャンネルスピーカー端子ＲＢ−は、コモンモードチョークコイルＬ５の第２コイルの他端に接続されている。
【００４０】
以上の構成を有する音声切換出力装置２１についてその動作を説明する。
［ＢＴＬ方式を使用せず、各スピーカー端子Ｌ＋、Ｌ−、Ｒ＋、Ｒ−を使用し、各第２スピーカー端子ＬＢ＋、ＬＢ−、ＲＢ＋、ＲＢ−を使用しない場合］
マイコンによってスイッチＳＷ１、ＳＷ２がオン状態に制御され、スイッチＳＷ３、ＳＷ４、ＳＷ５、ＳＷ６、ＳＷ７、ＳＷ８がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、正側左チャンネルスピーカー端子Ｌ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、正側右チャンネルスピーカー端子Ｒ＋に供給される。このとき、スイッチＳＷ３およびＳＷ４がオフ状態であるので、正側左チャンネルスピーカー端子Ｌ＋および正側右チャンネルスピーカー端子Ｒ＋は、信号経路ではないＢＴＬ出力部４のコモンモードチョークコイルＬ３に対して開放されている。また、スイッチＳＷ５およびＳＷ６がオフ状態であるので、左チャンネル通常出力部２および右チャンネル通常出力部３の各入力は、信号経路ではないＢＴＬ出力部４のコモンモードチョークコイルＬ３、および、抵抗Ｒ３、コンデンサＣ５からならフィルタ回路に対して開放されている。従って、左チャンネル音声信号および右チャンネル音声信号は、コモンモードチョークコイルＬ３、および、抵抗Ｒ３、コンデンサＣ５からならフィルタ回路による悪影響を受けず、歪みが生じることが防止される。
【００４１】
［ＢＴＬ方式を使用せず、各スピーカー端子Ｌ＋、Ｌ−、Ｒ＋、Ｒ−を使用せず、各第２スピーカー端子ＬＢ＋、ＬＢ−、ＲＢ＋、ＲＢ−を使用する場合］
マイコンによってスイッチＳＷ７、ＳＷ８がオン状態に制御され、スイッチＳＷ１、ＳＷ２、ＳＷ３、ＳＷ４、ＳＷ５、ＳＷ６がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、第２正側左チャンネルスピーカー端子ＬＢ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、第２正側右チャンネルスピーカー端子ＲＢ＋に供給される。このとき、スイッチＳＷ３およびＳＷ４がオフ状態であるので、第２正側左チャンネルスピーカー端子ＬＢ＋および第２正側右チャンネルスピーカー端子ＲＢ＋は、信号経路ではないＢＴＬ出力部４のコモンモードチョークコイルＬ３に対して開放されている。また、スイッチＳＷ５およびＳＷ６がオフ状態であるので、左チャンネル通常出力部２および右チャンネル通常出力部３の各入力は、信号経路ではないＢＴＬ出力部４のコモンモードチョークコイルＬ３、および、抵抗Ｒ３、コンデンサＣ５からならフィルタ回路に対して開放されている。従って、左チャンネル音声信号および右チャンネル音声信号は、コモンモードチョークコイルＬ３および、抵抗Ｒ３、コンデンサＣ５からならフィルタ回路による悪影響を受けず、歪みが生じることが防止される。
【００４２】
［ＢＴＬ方式を使用せず、各スピーカー端子Ｌ＋、Ｌ−、Ｒ＋、Ｒ−、および、各第２スピーカー端子ＬＢ＋、ＬＢ−、ＲＢ＋、ＲＢ−を使用する場合］
マイコンによってスイッチＳＷ１、ＳＷ２、ＳＷ７、ＳＷ８がオン状態に制御され、スイッチＳＷ３、ＳＷ４、ＳＷ５、ＳＷ６がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、正側左チャンネルスピーカー端子Ｌ＋、第２正側左チャンネルスピーカー端子ＬＢ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、正側右チャンネルスピーカー端子Ｒ＋および第２正側右チャンネルスピーカー端子ＲＢ＋に供給される。このとき、スイッチＳＷ３およびＳＷ４がオフ状態であるので、正側左チャンネルスピーカー端子Ｌ＋、第２正側左チャンネルスピーカー端子ＬＢ＋、正側右チャンネルスピーカー端子Ｒ＋および第２正側右チャンネルスピーカー端子ＲＢ＋は、信号経路ではないＢＴＬ出力部４のコモンモードチョークコイルＬ３に対して開放されている。また、スイッチＳＷ５およびＳＷ６がオフ状態であるので、左チャンネル通常出力部２および右チャンネル通常出力部３の各入力は、信号経路ではないＢＴＬ出力部４のコモンモードチョークコイルＬ３および、抵抗Ｒ３、コンデンサＣ５からならフィルタ回路に対して開放されている。従って、左チャンネル音声信号および右チャンネル音声信号は、コモンモードチョークコイルＬ３および、抵抗Ｒ３、コンデンサＣ５からならフィルタ回路による悪影響を受けず、歪みが生じることが防止される。
【００４３】
［ＢＴＬ方式を使用する場合］
マイコンによってスイッチＳＷ１、ＳＷ２、ＳＷ７、ＳＷ８がオフ状態に制御され、スイッチＳＷ３、ＳＷ４、ＳＷ５、ＳＷ６がオン状態に制御される。左チャンネル音声信号は、ローパスフィルタ５で高周波成分が除去され、抵抗Ｒ３およびコンデンサＣ５によって共振が防止され、コモンモードチョークコイルＬ３によってコモンモードノイズが除去され、正側左チャンネルスピーカー端子Ｌ＋に供給される。右チャンネル音声信号は、ローパスフィルタ６で高周波成分が除去され、抵抗Ｒ３およびコンデンサＣ５によって共振が防止され、コモンモードチョークコイルＬ３によってコモンモードノイズが除去され、正側右チャンネルスピーカー端子Ｒ＋に供給される。このとき、スイッチＳＷ１がオフ状態であるので、正側左チャンネルスピーカー端子Ｌ＋は、信号経路ではない左チャンネル通常出力部２のコモンモードチョークコイルＬ４に対して開放されている。従って、左チャンネル音声信号は、コモンモードチョークコイルＬ４による悪影響を受けず、歪みが生じることが防止される。同様に、スイッチＳＷ２がオフ状態であるので、正側右チャンネルスピーカー端子Ｒ＋は、信号経路ではない右チャンネル通常出力部３のコモンモードチョークコイルＬ５に対して開放されている。従って、右チャンネル音声信号は、コモンモードチョークコイルＬ５による悪影響を受けず、歪みが生じることが防止される。
【００４４】
次に本発明のさらに別の好ましい実施形態を説明する。図５は、本例の音声切換出力装置３１を示す回路図である。図２〜図４の音声切換出力装置によると、ＢＴＬ方式を使用する場合に、ＢＴＬ回路４の入力が、左チャンネル通常出力部２のコモンモードチョークコイルＬ４、抵抗Ｒ１およびコンデンサＣ３からなるフィルタ回路に接続され、右チャンネル通常出力部３のコモンモードチョークコイルＬ５、抵抗Ｒ２およびコンデンサＣ４からなるフィルタ回路に接続されている。従って、左チャンネル音声信号は、コモンモードチョークコイルＬ４、抵抗Ｒ１およびコンデンサＣ３からなるフィルタ回路による悪影響を受ける可能性があり、右チャンネル音声信号は、コモンモードチョークコイルＬ５、抵抗Ｒ２およびコンデンサＣ４からなるフィルタ回路による悪影響を受ける可能性がある。
【００４５】
そこで、本例によると、左チャンネル通常出力部２は、スイッチＳＷ９をさらに含み、右チャンネル通常出力部３は、スイッチＳＷ１０をさらに含む。スイッチＳＷ９は、例えばリレースイッチであり、図示しないマイコン等の制御部によってオンオフ制御される。スイッチＳＷ９は、左チャンネル音声信号を抵抗Ｒ１およびコンデンサＣ３からなるフィルタ回路やコモンモードチョークコイルＬ４に供給するか否かを切り替えるものである。言い換えると、スイッチＳＷ９は、ローパスフィルタ５（すなわち、ＢＴＬ出力部４）とコモンモードチョークコイルＬ４とを接続するか否かを切り替えるものである。
【００４６】
スイッチＳＷ１０は、例えばリレースイッチであり、図示しないマイコン等の制御部によってオンオフ制御される。スイッチＳＷ１０は、右チャンネル音声信号を抵抗Ｒ２およびコンデンサＣ４からなるフィルタ回路やコモンモードチョークコイルＬ５に供給するか否かを切り替えるものである。言い換えると、スイッチＳＷ１０は、ローパスフィルタ６とコモンモードチョークコイルＬ５（すなわち、ＢＴＬ出力部４）とを接続するか否かを切り替えるものである。
【００４７】
以上の構成を有する音声切換出力装置３１についてその動作を説明する。
［ＢＴＬ方式を使用しない場合］
マイコンによってスイッチＳＷ１、ＳＷ２、ＳＷ９、ＳＷ１０がオン状態に制御され、スイッチＳＷ３、ＳＷ４、ＳＷ５、ＳＷ６がオフ状態に制御される。左チャンネル音声信号は、ローパスフィルタ５で高周波成分が除去され、抵抗Ｒ１およびコンデンサＣ３によって共振が防止され、コモンモードチョークコイルＬ４によってコモンモードノイズが除去され、正側左チャンネルスピーカー端子Ｌ＋に供給される。右チャンネル音声信号は、ローパスフィルタ６で高周波成分が除去され、抵抗Ｒ２およびコンデンサＣ４によって共振が防止され、コモンモードチョークコイルＬ５によってコモンモードノイズが除去され、正側右チャンネルスピーカー端子Ｒ＋に供給される。このとき、スイッチＳＷ３およびＳＷ４がオフ状態であるので、正側左チャンネルスピーカー端子Ｌ＋および正側右チャンネルスピーカー端子Ｒ＋は、信号経路ではないＢＴＬ出力部４のコモンモードチョークコイルＬ３に対して開放されている。また、スイッチＳＷ５およびＳＷ６がオフ状態であるので、左チャンネル通常出力部２および右チャンネル通常出力部３の各入力は、信号経路ではないＢＴＬ出力部４のコモンモードチョークコイルＬ３、抵抗Ｒ３およびコンデンサＣ５からなるフィルタ回路に対して開放されている。従って、左チャンネル音声信号および右チャンネル音声信号は、コモンモードチョークコイルＬ３、抵抗Ｒ３およびコンデンサＣ５からなるフィルタ回路による悪影響を受けず、歪みが生じることが防止される。
【００４８】
［ＢＴＬ方式を使用する場合］
マイコンによってスイッチＳＷ１、ＳＷ２、ＳＷ９、ＳＷ１０がオフ状態に制御され、スイッチＳＷ３、ＳＷ４、ＳＷ５、ＳＷ６がオン状態に制御される。左チャンネル音声信号は、ローパスフィルタ５で高周波成分が除去され、抵抗Ｒ３およびコンデンサＣ５によって共振が防止され、コモンモードチョークコイルＬ３によってコモンモードノイズが除去され、正側左チャンネルスピーカー端子Ｌ＋に供給される。右チャンネル音声信号は、ローパスフィルタ６で高周波成分が除去され、抵抗Ｒ３およびコンデンサＣ５によって共振が防止され、コモンモードチョークコイルＬ３によってコモンモードノイズが除去され、正側右チャンネルスピーカー端子Ｒ＋に供給される。このとき、スイッチＳＷ１がオフ状態であるので、正側左チャンネルスピーカー端子Ｌ＋は、信号経路ではない左チャンネル通常出力部２のコモンモードチョークコイルＬ４に対して開放されている。また、スイッチＳＷ９がオフ状態であるので、ＢＴＬ出力部４の入力は、信号経路ではない左チャンネル通常出力部２のコモンモードチョークコイルＬ４、抵抗Ｒ１およびコンデンサＣ３からなるフィルタ回路に対して開放されている。従って、左チャンネル音声信号は、コモンモードチョークコイルＬ４（および抵抗Ｒ１およびコンデンサＣ３からなるフィルタ回路）による悪影響を受けず、歪みが生じることが防止される。同様に、スイッチＳＷ２がオフ状態であるので、正側右チャンネルスピーカー端子Ｒ＋は、信号経路ではない右チャンネル通常出力部３のコモンモードチョークコイルＬ５に対して開放されている。また、スイッチＳＷ１０がオフ状態であるので、ＢＴＬ出力部４の入力は、信号経路ではない右チャンネル通常出力部３のコモンモードチョークコイルＬ５、抵抗Ｒ２およびコンデンサＣ４からなるフィルタ回路に対して開放されている。従って、右チャンネル音声信号は、コモンモードチョークコイルＬ５（および抵抗Ｒ２およびコンデンサＣ４からなるフィルタ回路）による悪影響を受けず、歪みが生じることが防止される。
【００４９】
以上、本発明の好ましい実施形態を説明したが、本発明はこれらの実施形態には限定されない。左チャンネルの代わりにサラウンド左チャンネルやサラウンド後方左チャンネルが適用されてもよく、他のチャンネルが使用されてもよい。これらを総称して第１チャンネルと定義する。右チャンネルの代わりにサラウンド右チャンネルやサラウンド後方右チャンネルが適用されてもよく、他のチャンネルが使用されてもよい。これらを総称して第２チャンネルと定義する。
【産業上の利用可能性】
【００５０】
本発明は、オーディオ用のアンプに好適に採用され得る。
【符号の説明】
【００５１】
１              音声切換出力装置
２              左チャンネル通常出力部
３              右チャンネル通常出力部
４              ＢＴＬ出力部
５              ローパスフィルタ
６              ローパスフィルタ
【図１】
0005408058.tif 000002
【図２】
0005408058.tif 000003
【図３】
0005408058.tif 000004
【図４】
0005408058.tif 000005
【図５】
0005408058.tif 000006
【図６】
0005408058.tif 000007